(57)【要約】【課題】補助反射板によって主照射方向に対して斜め側方へ光を照射するとともに、補助反射板により遮断される主照射方向にも十分な光を照射できるＬＥＤ照明器具を提供する。【解決手段】灯具３０に収容された光源３３が発した光は、主反射板４０により主照射方向ＢＬへ照射され、その一部は、主反射板４０の内部に設けた補助反射板５０により主照射方向ＢＬに対して斜め側方へ反射される。そして、補助反射板５０に、光源３３からの光を主照射方向ＢＬへ透過させる開口部５４を設けたので、主照射方向ＢＬにも光を十分に照射できる。【選択図】図１
2013182697.tif 000002
【特許請求の範囲】
【請求項１】
光源を収容する灯具と、
前記光源からの光を所定の方向へ反射する主反射板と、を有し、
前記主反射板の内側に、前記光源からの光を照射方向に対して斜めに反射する補助反射板を設けるとともに、
前記補助反射板に、前記光源からの光を前記照射方向へ透過させる開口部を設けたＬＥＤ照明器具。
【請求項２】
請求項１に記載のＬＥＤ照明器具において、
前記補助反射板の先端が、被取付面から突出しているＬＥＤ照明器具。
【請求項３】
請求項１または請求項２に記載のＬＥＤ照明器具において、
前記補助反射板が、
前記光源からの光を照射方向に対して斜め側方へ反射する補助反射面と、
前記主反射板に内接して前記補助反射面を支持する部分円弧状の支持部と、
前記補助反射面と前記支持部とを連結する連結部と、を有し、
前記補助反射板を、前記支持部の両端および前記連結部が連結された連結箇所において前記主反射板にねじ止めしたＬＥＤ照明器具。
【発明の詳細な説明】
【技術分野】
【０００１】
本発明は、例えば天井に取り付けられて斜め側方にも光を照射するＬＥＤ照明器具に関するものである。
【背景技術】
【０００２】
従来より、天井面に取り付けられて、斜め側方にも光を照射して壁面を照明する照明器具が知られている（例えば、特許文献１参照）。
図６（Ａ）ないし（Ｃ）に示すように、特許文献１に記載の照明器具１００は、片口金光源のランプ１０１を収容する。また、照明器具１００は、ランプ１０１の光を下方に反射する主反射鏡１０２およびランプ１０１の光を所定の側方の壁面に反射する補助反射鏡１０３を有する二重反射鏡１０４と、この二重反射鏡１０４を包囲する灯具１０５とを有する。
補助反射鏡１０３には、補助反射鏡１０３で照射される照射面の照射領域の上端部を略水平に近づけるために形成された、凹凸形状からなる微小反射面１０６が設けられている。
【０００３】
【特許文献１】特開２００２−３２４４１９号公報（第１図）
【発明の概要】
【発明が解決しようとする課題】
【０００４】
ところで、光源にＬＥＤを用いる場合には、指向性が強いため、側方に光を照射する場合には、主照射方向（主光軸）を斜め側方に向けるとともに、光を側方へ反射する補助反射板を用いることが行われている。
しかしながら、補助反射板を用いる場合には、主照射方向への照射光が補助反射板によって遮られるため、主照射方向が暗くなるという問題があった。
【０００５】
本発明は、従来の問題を解決するためになされたもので、補助反射板によって主照射方向に対して斜め側方へ光を照射するとともに、補助反射板により遮断される主照射方向にも十分な光を照射できるＬＥＤ照明器具を提供することを目的とする。
【課題を解決するための手段】
【０００６】
本発明のＬＥＤ照明器具は、光源を収容する灯具と、前記光源からの光を所定の方向へ反射する主反射板と、を有し、前記主反射板の内側に、前記光源からの光を照射方向に対して斜めに反射する補助反射板を設けるとともに、前記補助反射板に、前記光源からの光を前記照射方向へ透過させる開口部を設けたものである。
【０００７】
また、本発明のＬＥＤ照明器具は、前記補助反射板の先端が、被取付面から突出しているものである。
【０００８】
さらに、本発明のＬＥＤ照明器具は、前記補助反射板が、前記光源からの光を照射方向に対して斜め側方へ反射する補助反射面と、前記主反射板に内接して前記補助反射面を支持する部分円弧状の支持部と、前記補助反射面と前記支持部とを連結する連結部と、を有し、前記補助反射板を、前記支持部の両端および前記連結部が連結された連結箇所において前記主反射板にねじ止めしたものである。
【発明の効果】
【０００９】
本発明は、光源が発した光を、主照射方向に対して斜め側方へ反射する補助反射板に、光源からの光を主照射方向へ透過させる開口部を設けたので、主照射方向にも光を十分に照射できるという効果を有するＬＥＤ照明器具を提供できる。
【図面の簡単な説明】
【００１０】
【図１】本発明に係る実施形態のＬＥＤ照明器具を下方から見た斜視図
【図２】本発明に係る実施形態のＬＥＤ照明器具を下方から見た底面図
【図３】本発明に係る実施形態のＬＥＤ照明器具を天井面に取り付けた状態および照射光の方向を示す断面図
【図４】補助反射板が取り付けられた主反射板を下方から見た斜視図
【図５】（Ａ）補助反射板を上方から見た斜視図であり、（Ｂ）は補助反射板を下方から見た斜視図
【図６】（Ａ）は従来の照明器具の断面図であり、（Ｂ）は補助反射板の斜視図であり、（Ｃ）は補助反射板の断面図
【発明を実施するための形態】
【００１１】
以下、本発明に係る実施形態のＬＥＤ照明器具について、図面を用いて説明する。
図１および図３に示すように、本発明に係る実施形態のＬＥＤ照明器具１０は、被取付面である天井面１１に設けられている埋込孔１２に取り付けて、床面（図１および図３中、下方）および壁面１３側を照明するダウンライトとして用いることができる。
【００１２】
図１および図２に示すように、ＬＥＤ照明器具１０は、天井面１１に取り付けられる枠体２０と、枠体２０に支持される灯具３０を有する。
枠体２０は、天井面１１の埋込孔１２に嵌め込まれる枠体本体２１を有し、枠体本体２１の下端には、天井面１１下面に当接するリング状の鍔部２２を有する。枠体本体２１の外面には、枠体２０を天井面１１に取り付けるための取付ばね２３が、所定間隔で複数個（例えば、３個）設けられている。取付ばね２３は、常時下方（図１中矢印Ａ方向）へ付勢されている。
従って、鍔部２２と取付ばね２３との間に天井面１１を挟むことにより、枠体２０を天井面１１に固定する。
【００１３】
灯具３０は、多数の放熱フィン３１１を上下方向に有する灯具本体３１を有する。これにより、後述する光源であるＬＥＤ３３が発した熱は、放熱フィン３１１に伝達されて放熱される。
また、灯具本体３１の上部には、灯具本体３１に直交する方向に伸びる電源装置３２が取り付けられている。
【００１４】
灯具本体３１の下面３１２には、光源であるＬＥＤ３３を実装した実装基板３４が取り付けられる。実装基板３４と電源装置３２とが配線によりつながって電力を供給できるので、ＬＥＤ３３が発光する。
灯具本体３１の下側には、主反射板４０が取り付けられており、灯具本体３１および主反射板４０は、ＬＥＤ３３から主照射方向に発せられた光（主光軸ＢＬ）が、真下よりも壁面１３側に傾くように設けられている（図３参照）。
【００１５】
灯具本体３１を斜めに取り付けるため、主反射板４０は、図４に示すように、略円錐台形状の上側の開口部（上開口部）４１を斜めに切断した形状を呈しており、下側の開口部（下開口部）４２には、リング形状の枠４３が取り付けられている。また、内面は、主反射面４４となっている。
枠４３は、枠体２０の鍔部２２の内側に嵌合して位置決めされるので、天井面１１と平行に取り付けられる（図１参照）。
【００１６】
主反射板４０の内部には、補助反射板５０が取り付けられる。補助反射板５０は、ＬＥＤ３３からの光を壁面１３側に斜めに反射するため、主反射板４０の内部において、主光軸ＢＬに対して壁面１３と反対側（図４において右側）に設けられている（図３参照）。
補助反射板５０は、主反射面４４を横切るように設けられており、ＬＥＤ３０からの光を壁面１３側に反射する曲面形状の補助反射面５１を有する。
【００１７】
図５（Ａ）、（Ｂ）に示すように、補助反射面５１は、三日月形状の板部材を、例えば主反射面４４の径よりも大きな径の円弧状に湾曲させた形状とすることができる。
補助反射面５１の下端部５１１は、天井面１１より床面側に突出している。
補助反射面５１の外側（すなわち、主反射面４４に近い側）には、主反射面４４に内接する部分円弧状の支持部材（支持部）５２が設けられており、支持部材５２の両端と補助反射面５１の両端とが接合されて強固な隅角部５２１が形成されている。
【００１８】
従って、支持部材５２は主反射面４４と略同じ径を有しており、補助反射面５１の径よりも小さな径を有する。
このため、図２に示すように、補助反射面５１と主反射面４４との間には、三日月形状の開口部５４が形成される。
【００１９】
図４に示すように、開口部５４には、補助反射面５１の外側面と、支持部材５２の内側面とを連結する連結部材（連結部）５３が設けられている。連結部材５３は、補助反射面５１の裏面を全高にわたって支持するものが望ましい。
これにより、補助反射面５１を裏面から補強することができる。
これに伴い、前述した開口部５４は、連結部材５３によって例えば二つの開口部５４１、５４１に分割される。
このような補助反射板５０は、樹脂により一体成形できるが、各部材を別個に形成して、接合して組み立てることも可能である。
これにより、例えば、補助反射面５１を金属で形成することもできる。
【００２０】
補助反射板５０は、支持部材５２の両端である隅角部５２１および連結部材５３と支持部材５２との交点である連結箇所５２２において、主反射板４０にねじ止めされる。
すなわち、補助反射板５０において強度が大きな場所において主反射板４０に固定されるので、補助反射板５０を確実に固定することができる。
【００２１】
次に、図３に基づいて、ＬＥＤ３０から発せられた光の経路について説明する。
ＬＥＤ３３から発せられた光の一部（主光軸ＢＬ）は、主反射面４４および補助反射面５１に当たらずに、直接、床面および壁面１３寄りに斜めに照射される。
また、一部の光は、主反射面４４に当たって、床面側にへ反射される。
【００２２】
さらに、補助反射面５１に当たった光ＬＢ１は、壁面１３側に反射される。
ここで、補助反射面５１の下端部５１１が天井面１１よりも床面側に突出しているので、光ＬＢ１のうち下端部５１１の近傍に当たった光ＬＢ２は、水平あるいは若干上向きに反射して、天井面１１と壁面１３との交差部分に照射される。
また、補助反射板５０の開口部５４を通った光ＬＢ３は、ＬＥＤ照明器具１０の真下に照射される。
【００２３】
以上、説明した本発明に係る実施形態のＬＥＤ照明器具１０によれば、灯具３０に収容されたＬＥＤ３３が発した光は、直接あるいは主反射板４０により主光軸ＢＬである主に床面側へ照射される。また、その一部は補助反射板５０に当たり、主光軸ＢＬに対して壁面１３側へ反射される。
そして、補助反射板５０に、ＬＥＤ３０からの光を主光軸ＢＬ方向へ透過させる開口部５４を設けたので、主光軸ＢＬ方向にも十分な光を照射できる。
【００２４】
また、補助反射板５０の補助反射面５１の下端部５１１が、天井面１１より床面側に突出しているので、天井面１１の下側から水平あるいは上向きに天井面１１に光を照射でき、天井面１１の隅部まで光を照射できる。
【００２５】
さらに、補助反射板５０において、光を反射する補助反射面５１と、補助反射面５１を支持する円弧状の支持部材５２との間を連結部材５３で連結したので、補助反射板５０の強度を増すことができる。
また、補助反射板５０を、補助反射面５１の両端と接合された支持部材５２の隅角部５２１と、連結部材５３で連結された支持部材５２の連結箇所５２２とにおいて主反射板４０にねじ止めしたので、補助反射板５０を確実に固定することができる。
【００２６】
なお、本発明のＬＥＤ照明器具は、前述した実施形態に限定されるものでなく、適宜な変形、改良等が可能である。
【符号の説明】
【００２７】
１０  ＬＥＤ照明器具
１１  天井面（被取付面）
３０  灯具
３３  ＬＥＤ（光源）
４０  主反射板
５０  補助反射板
５１  補助反射面
５１１  下端部（先端）
５２  支持部材（支持部）
５２１  隅角部（両端）
５２２  連結箇所
５３  連結部材（連結部）
５４  開口部
【図１】
2013182697.tif 000003
【図２】
2013182697.tif 000004
【図３】
2013182697.tif 000005
【図４】
2013182697.tif 000006
【図５】
2013182697.tif 000007
【図６】
2013182697.tif 000008